(57)【要約】【課題】本発明は、プローブのオスねじ部をコアのメスねじ孔に螺入させ、レーザー溶接で簡単に結合固定させることを目的とする。【解決手段】本発明による磁性コアの固定方法及び構造は、コア(3)のメスねじ孔(4)にプローブ(1)のオスねじ部(2)を螺合させた状態で、前記コア(3)の外周に形成された円錐凹部(21)にレーザー(22)を照射し、前記コア(3)とプローブ(1)のオスねじ部(2)とをレーザー溶接する構成である。【選択図】図４
2010272567.tif 000002
【特許請求の範囲】
【請求項１】
長手棒状をなすプローブ(1)と、前記プローブ(1)の一端(1a)に形成されたオスねじ部(2)をコア(3)の一端(3a)のメスねじ孔(4)に螺入させ、前記プローブ(1)と前記コア(3)とを接続する磁性コアの固定方法において、
前記コア(3)の外周に形成され前記コア(3)の軸心に向けて円錐状をなす円錐凹部(21)にレーザー(22)を照射し、前記コア(3)とプローブ(1)のオスねじ部(2)とをレーザー溶接することを特徴とする磁性コアの固定方法。
【請求項２】
前記レーザー照射前の前記オスねじ部(2)とメスねじ孔(4)とは、ねじ結合のみで接着剤は設けられていないことを特徴とする請求項１記載の磁性コアの固定方法。
【請求項３】
長手棒状をなすプローブ(1)と、前記プローブ(1)の一端(1a)に形成されたオスねじ部(2)をコア(3)の一端(3a)のメスねじ孔(4)に螺入させ、前記プローブ(1)と前記コア(3)とを接続する磁性コアの固定構造において、
前記コア(3)の外周に形成され前記コア(3)の軸心に向けて円錐状をなす円錐凹部(21)にレーザー(22)を照射し、前記コア(3)とプローブ(1)のオスねじ部(2)とをレーザー溶接したことを特徴とする磁性コアの固定構造。
【請求項４】
前記レーザー照射前の前記オスねじ部(2)とメスねじ孔(4)とは、ねじ結合のみで接着剤は設けられていないことを特徴とする請求項３記載の磁性コアの固定構造。
【発明の詳細な説明】
【技術分野】
【０００１】
本発明は、磁性コアの固定方法及び構造に関し、特に、プローブのオスねじ部をコアのメスねじ孔に螺入させ、レーザー溶接で簡単に結合固定するための新規な改良に関する。
【背景技術】
【０００２】
従来、用いられていたこの種の磁性コアの固定方法及び構造としては、例えば、後述の特許文献１及び２に開示されているＬＶＤＴ（直線型可変差動変圧器）においては、図５に示されるように構成されていた。
すなわち、図５において符号１で示されるものは、ＬＶＤＴの図示しない筒状ステータ内に移動自在に設けられた長手棒状のプローブであり、このプローブ１の一端１ａには、この一端１ａと一体に形成されて突出するオスねじ部２が形成されている。
【０００３】
前記オスねじ部２には、コア３の一端３ａに形成されたメスねじ孔４が螺合している。
前記コア３のメスねじ孔４内に前記プローブ１のオスねじ部２が螺合した状態で、ねじのゆるみ防止のため、銀ろう１０及び接着剤１１が用いられ、この螺合した部分に形成された接着面が銀ろう付けで固定されている。
【先行技術文献】
【特許文献】
【０００４】
【特許文献１】特開２０００−７４６０７号公報
【特許文献２】特開１０−３１１７３７号公報
【発明の概要】
【発明が解決しようとする課題】
【０００５】
従来の磁性コアの固定方法及び構造は、以上のように構成されているため、次のような課題が存在していた。
すなわち、プローブとコアのねじ螺合部に形成された接着部に銀ろうを形成させる銀ろう付けには、実際には多くの作業工程を必要とし、かつ、その作業も難しいために熟練を要し、時間もかかっていた。
また、プローブとコアのねじ螺合部の固定に用いられる接着剤では、強度的に弱い面があり、十分な信頼性を得ることは困難であった。
【課題を解決するための手段】
【０００６】
本発明による磁性コアの固定方法は、長手棒状をなすプローブと、前記プローブの一端に形成されたオスねじ部をコアの一端のメスねじ孔に螺入させ、前記プローブと前記コアとを接続する磁性コアの固定方法において、前記コアの外周に形成され前記コアの軸心に向けて円錐状をなす円錐凹部にレーザーを照射し、前記コアとプローブのオスねじ部とをレーザー溶接する方法であり、前記レーザー照射前の前記オスねじ部とメスねじ孔とは、ねじ結合のみで接着剤は設けられていない方法であり、また、本発明による磁性コアの固定構造は、長手棒状をなすプローブと、前記プローブの一端に形成されたオスねじ部をコアの一端のメスねじ孔に螺入させ、前記プローブと前記コアとを接続する磁性コアの固定構造において、前記コアの外周に形成され前記コアの軸心に向けて円錐状をなす円錐凹部にレーザーを照射し、前記コアとプローブのオスねじ部とをレーザー溶接した構成であり、また、前記レーザー照射前の前記オスねじ部とメスねじ孔とは、ねじ結合のみで接着剤は設けられていない構成である。
【発明の効果】
【０００７】
本発明による磁性コアの固定方法及び構造は、以上のように構成されているため、次のような効果を得ることができる。
すなわち、長手棒状をなすプローブと、前記プローブの一端に形成されたオスねじ部をコアの一端のメスねじ孔に螺入させ、前記プローブと前記コアとを接続する磁性コアの固定方法において、前記コアの外周に形成され前記コアの軸心に向けて円錐状をなす円錐凹部にレーザーを照射し、前記コアとプローブのオスねじ部とをレーザー溶接することにより、円錐凹部を介してレーザー照射が容易となり、コアの所定位置でのプローブに対する固定が容易となり、簡単にプローブとコアの相互固定を行うことができる。
また、前記レーザー照射前の前記オスねじ部とメスねじ孔とは、ねじ結合のみで接着剤は設けられていないことにより、接着剤の全く不要な固定構造を得ることができる。
【図面の簡単な説明】
【０００８】
【図１】本発明による磁性コアの固定方法及び構造を示す一部断面を有する構成図である。
【図２】図１のコアを示す拡大断面図である。
【図３】図２の平面図である。
【図４】図１のコアにレーザー溶接部を形成した状態を示す一部断面を有する構成図部ある。
【図５】従来の磁性コアの固定方法及び構造を示す一部断面図を有する構成図である。
【発明を実施するための形態】
【０００９】
本発明は、プローブのオスねじ部をコアのメスねじ孔に螺入させ、レーザー溶接で簡単に結合固定するようにした磁性コアの固定方法及び構造を提供することを目的とする。
【実施例】
【００１０】
以下、図面と共に本発明による磁性コアの固定方法及び構造の好適な実施の形態について説明する。
尚、従来例と同一又は同等部分については、同一符号を用いて説明する。
図１において、符号１で示されるものは、ＬＶＤＴの図示しない筒状ステータ内に移動自在に設けられた長手棒状のプローブであり、このプローブ１の一端１ａには、この一端１ａと一体に形成されて突出するオスねじ部２が形成されている。
【００１１】
前記オスねじ部２には、コア３の一端３ａに形成されたメスねじ孔４が螺合している。
前記コア３のメスねじ孔４内に前記プローブ１のオスねじ部２が螺合した状態で、ねじのゆるみ防止のため、図４に示されるレーザー溶接部２０が形成されている。
前記レーザー溶接部２０は、図１から図４で示されるように、前記コア３の外周面３ｂに円錐凹部２１が形成され、この円錐凹部２１の円錐中心２１ａは前記コア３の軸心に向けて円錐状に形成されている。
【００１２】
前記円錐凹部２１に対して、図１に示されるように、ＹＡＧレーザーからなるレーザー２２を照射させることにより、このレーザー２２は円錐凹部２１の円錐中心２１ａに照射され、図４で示されるように、コア３及びオスねじ部２の一部が熱によって溶融し、かつ一体化し、レーザー照射を停止することにより、この溶融した部分が固化し、前記レーザー溶接部２０となる。尚、前述のレーザー溶接の場合、オスねじ部２とメスねじ孔４との接続部は、従来のように接着剤を塗布すると、レーザー照射時に接着剤が気化し、ブローホールができやすく、レーザー溶接が困難となるため、ねじ結合のみで接着剤は用いていない。
【００１３】
前記レーザー溶接部２０は、図４で示されるように、前記コア３とオスねじ部２の各一部にわたって形成されているため、コア３とオスねじ部２は強固に一体化され、プローブ１の長年にわたるＬＶＤＴとしての使用に十分耐えることができるように構成されている。
【産業上の利用可能性】
【００１４】
本発明による磁性コアの固定方法及び構造は、磁性コアと金属からなるプローブとの接続に限ることなく、金属と樹脂、金属同志、樹脂同志のオス部とメス部の接続固定に広く適用することができる。
【符号の説明】
【００１５】
１    プローブ
１ａ    一端
２    オスねじ部
３    コア
３ａ    一端
３ｂ    外周面
４    メスねじ孔
２０    レーザー溶接部
２１    円錐凹部
２２    レーザー
【図１】
2010272567.tif 000003
【図２】
2010272567.tif 000004
【図３】
2010272567.tif 000005
【図４】
2010272567.tif 000006
【図５】
2010272567.tif 000007